(57)【特許請求の範囲】
【請求項１】
基体側に固定される基部と、基部に対して回動自在に取り付けられたレバーと、レバーに取り付けられた締付リンクとを備え、基体に設けられた受け部に断面略円形の被固定材を載置し、受け部を挟んで基部と相対する位置に設けられた掛止具に締付リンクを掛止した状態で、レバーを掛止具とは反対の向きに回動することにより、締付リンクが被固定材を締め付けて受け部上に固定するように構成された止金具において、
締付リンクはバネ鋼材により形成され、受け部の定位置に載置された被固定材に接触する中間部は被固定材の外周面の曲率よりも小さい曲率となるように賦形されるとともに、前記中間部を挟んで被固定材の材芯に対し９０度以上の角度をもって離隔する位置に２箇所の屈曲部が形成され、これら２箇所の屈曲部のうち少なくとも一方は被固定材の外周面の曲率よりも大きな曲率となるように賦形されたことを特徴とする止金具。
【発明の詳細な説明】
【０００１】
【発明の属する技術分野】
本発明は、昇降式移動足場の部材の緊結等に利用し得る止金具に関する。
【０００２】
【従来の技術】
軽量で操作性に優れた昇降式移動足場として、従来より、図１に示すようなものが知られている。この昇降式移動足場１は、積層された数段のフレーム１１上に作業床１２が設けられるもので、各フレーム１１はＸ字状に交差するスライダクランク１３を介して昇降自在に連結されている。作業床１２を上昇させるときは、下段側のフレーム１１に取り付けられたタラップ１４を立て起こし、その上端部に上段側のフレーム１１または作業床１２を載置して緊結する。また、作業床１２を下降させるときは、タラップ１４を内側に折り畳み、各段のフレーム１１をそれぞれ下段側のフレーム１１に突設された短い支柱１５に緊結する。
【０００３】
このような昇降式移動足場１においては、フレーム１１とタラップ１４との緊結や、フレーム１１と支柱１５との緊結に際して、図２〜図３に示すような止金具２が使用されている。この止金具２は、タラップ１４及び支柱１５の先端近傍に取り付けられている。タラップ１４に取り付けられた止金具２は作業床１２またはフレーム１１を上昇させる際に使用されるもので、支柱１５に取り付けられた止金具２は作業床１２またはフレーム１１を下降させる際に使用されるものである。
【０００４】
この止金具２は、タラップ１４または支柱１５の先端に円管状のフレーム１１を緊結し得るように構成されたもので、タラップ１４または支柱１５の先端近傍に固定される基部２１と、基部２１に対して回動自在に取り付けられたレバー２２と、レバーに取り付けられた締付リンク２３とを備える。そして、タラップ１４または支柱１５の先端近傍に設けられた受け部１６にフレーム１１を載置した状態で、受け部１６の背後に設けられたフック状の掛止具１７に締付リンク２３を掛止し、レバー２２を受け部１６とは反対の側に回動すると、締付リンク２３がフレーム１１を締め付けて受け部１６上に固定する。締付リンク２３は、針金状のバネ鋼材からなり、掛止具１７に掛止される部分が略Ｕ字状に曲げられて両端部がレバー２２に連結されるとともに、固定されるフレーム１１の断面形状に合わせて側面視略円弧状に賦形されている。
【０００５】
【発明が解決しようとする課題】
前記したような昇降式移動足場１においては、フレーム１１やタラップ１４、支柱１５などの製作誤差により、受け部１６とフレーム１１とが精度良く合致しない場合がある。具体的には、図４に示すように受け部１６に対してフレーム１１が横方向にずれたり、あるいは縦方向にずれたりする。また、使用時の変形によって、それらの部材の合致精度が低下することもある。
【０００６】
このように、受け部１６に対してずれた状態のフレーム１１を前記止金具２によって固定しようとすると、レバー２２を締付側に回動させるときに極めて強い力が必要になり、場合によってはレバー２２を回動させることができないという事態も生じる。これは、締付リンク２３の形状や長さが一律であり、例えば図４中に斜線で示した部分に追随し得るだけの余長がないことによるものである。
【０００７】
かかる不都合を放置すると、フレーム１１を固定する部位ごとに締付力のばらつきが生じる。この問題を解決するためには、フレーム１１を固定する部位ごとに、フレーム１１の形状やずれに合わせて締付リンク２３の長さや形状を調整した止金具２を用意しなければならない。しかしながら、現実的にそのような個別対応は困難であり、部品管理上も不経済である。
【０００８】
そこで本発明は、一律の形状を有しながら、前記したような受け部１６とフレーム１１とのずれにも柔軟に追随して、安定した締付力を得ることのできる止金具を提供することを解決課題とする。
【０００９】
なお、本発明の止金具は、前記したような昇降式移動足場１のフレーム１１を緊結する場合だけでなく、類似する他の部材相互の緊結にも利用できるものである。そこで、本明細書においては、前記タラップ１４や支柱１５に類する支持側の部材を「基体」と総称し、前記フレーム１１のように基体に緊結される側の部材を「被固定材」と総称して説明する。ただし、被固定材の断面形状については、円形または円形に近似した楕円形に限定する。
【００１０】
【課題を解決するための手段】
前記課題を解決するため、本発明の止金具は、基体側に固定される基部と、基部に対して回動自在に取り付けられたレバーと、レバーに取り付けられた締付リンクとを備え、基体に設けられた受け部に断面略円形の被固定材を載置し、受け部を挟んで基部と相対する位置に設けられた掛止具に締付リンクを掛止した状態で、レバーを掛止具とは反対の向きに回動することにより、締付リンクが被固定材を締め付けて受け部上に固定するように構成された止金具において、締付リンクはバネ鋼材により形成され、受け部の定位置に載置された被固定材に接触する中間部は被固定材の外周面の曲率よりも小さい曲率となるように賦形されるとともに、前記中間部を挟んで被固定材の材芯に対し９０度以上の角度をもって離隔する位置に２箇所の屈曲部が形成され、これら２箇所の屈曲部のうち少なくとも一方は被固定材の外周面の曲率よりも大きな曲率となるように賦形されたことを特徴とする。
【００１１】
【発明の実施の形態】
以下、本発明の実施の形態について、図面を参照しつつ説明する。本説明においては、前記した従来の止金具２（以下、「従来形態」という。）と機能的に共通する部位・部材には共通の名称及び符号を使用し、本発明に係る構成を従来形態と比較しながら、形状や作用における相違点を示す。
【００１２】
図５は、本発明に係る止金具２０と、その標準的な使用状態を示す側面図である。
【００１３】
この止金具２０は、図３に示したタラップ１４や支柱１５等からなる基体１０の先端近傍に取り付けられて、基体１０に設けられた受け部１６上に円管状の被固定材３を固定する。受け部１６は、被固定材３の断面形状に沿うような円弧上に形成されて、被固定材３の外周の１／４ないし１／３を支承する。受け部１６を挟んで止金具２０と相対する位置には、フック状の掛止具１７が設けられている。
【００１４】
止金具２０は、従来形態と同様に、基体１０の先端近傍に固定される基部２１と、基部２１に対して回動自在に取り付けられたレバー２２と、レバー２２に取り付けられた締付リンク２４とを備える。そして、受け部１６に被固定材３を載置した状態で、掛止具１７に締付リンク２４を掛止し、レバー２２を受け部１６とは反対の側に回動すると、締付リンク２４が被固定材３を締め付けて受け部１６上に固定する。締付リンク２４は、針金状のバネ鋼材からなり、掛止具１７に掛止される部分が略Ｕ字状に曲げられて、両端部がレバー２２の支軸２２ａからやや離れた位置に連結されている。
【００１５】
本発明に係る止金具２０と従来形態との相違点は、図５に示されるような締付リンク２４の湾曲形態にある。本発明に係る締付リンク２４は、図３に示した従来形態の締付リンク２３と比較して、基部２１から先端までの架け渡し長さが若干長くなるように形成されている。そして、被固定材３が受け部１６の定位置に載置された状態において、被固定材３に接触する中間部２４ａが、被固定材３の外周面の曲率よりも小さい曲率となるように賦形されている。
【００１６】
さらに、前記中間部２４ａを挟むようにして、締付リンク２４の基部２１側及び先端側に２箇所の屈曲部２４ｂ，２４ｃが形成されている。これらの屈曲部２４ｂ，２４ｃは、受け部１６の定位置に載置された被固定材３の材芯３ａから見て９０度以上の角度をもって離隔する位置に設けられている。これら両屈曲部２４ｂ，２４ｃのうち先端側の屈曲部２４ｂは、被固定材３の外周面の曲率よりも大きな曲率となるように賦形されている。また、基部２１側の屈曲部２４ｃは、被固定材３の外周面の曲率とほぼ同じか、それよりもやや大きな曲率となるように賦形されている。
【００１７】
このように賦形された締付リンク２４は、受け部１６に載置された被固定材３に対し、図５における右上から左下に向かって締付力を発揮する。この締付力の作用方向は、図３に示した従来形態における作用方向よりも、斜め４５度に近いものとなる。
【００１８】
また、先端側の屈曲部２４ｂと基部２１側の屈曲部２４ｃとが被固定材３の材芯３ａから見て９０度以上の角度をもって離隔する位置に設けられていることから、図５に示した形態では、先端側の屈曲部２４ｂが被固定材３の材芯３ａの直上よりもやや掛止具１７側に位置し、基部２１側の屈曲部２４ｃが被固定材３の材芯３ａの真横よりもやや下方に位置することとなる。図３に示した従来形態では、被固定材（フレーム１１）との接触部分よりも先端側に屈曲部がなく、接触部分がそのまま被固定材（フレーム１１）との接線方向に延長されて掛止具１７に至っているが、図５のように、被固定材３に接触する中間部２４ａの両側に屈曲部２４ｂ，２４ｃを設けることにより、締付リンク２４に余長が付与されるとともに、いわゆる「コシの強さ」が生じることとなる。
【００１９】
かかる形態上の差異は、特に、被固定材３が受け部１６の定位置からずれて載置される場合に顕著な効果を奏する。すなわち、従来形態では図４に示したように、締付リンク２３に被固定材（フレーム１１）のずれに追随し得るだけの余長がないため、レバー２２を締付側に回動させるのが困難になるが、本発明では図６に示すように、締付リンク２４に余長が付与されているため、両屈曲部２４ｂ，２４ｃが弾性変形しながら被固定材３のずれに追随し、レバー２２を容易に回動させることができるようになる。
【００２０】
図６に示した状態は被固定材３が横ずれを生じる場合であるが、被固定材３が縦ずれを生じる場合も同様である。より詳細には、例示の形態にかかる締付リンク２４の場合、先端側の屈曲部２４ｂが主として横ずれに追随し、基部２１側の屈曲部２４ｃが主として縦ずれに追随する。したがって両屈曲部２４ｂ，２４ｃは、できるだけ互いに離隔して設けられるのが効果的であり、前記したように、被固定材３の材芯３ａから見て９０度以上の角度をもって離隔するように、換言すれば、被固定材３の直径よりもやや大きな間隔で配置されるのが好適である。
【００２１】
このように、本発明の止金具２０は、締付リンク２４が、被固定材３の外周面の曲率よりも小さい曲率の中間部２４ａと、この中間部２４ａを挟むように配置された大きい曲率の屈曲部２４ｂ，２４ｃとを有しているので、被固定材３が受け部１６の定位置からずれたり、あるいは被固定材３の断面寸法にばらつきがあったりしても、それを柔軟に吸収して、安定した締付力を発揮する。また、レバー２２を締付側に回動する操作も容易になる。
【００２２】
なお、前記した実施の形態は、締付リンク２４が針金状のものであるが、締付リンクは、例えば帯板状のバネ鋼材により形成されてもよい。
【００２３】
【発明の効果】
本発明の止金具は、バネ鋼材からなる締付リンクが、被固定材の外周面の曲率よりも小さい曲率の中間部と、この中間部を挟むように配置された大きい曲率の屈曲部とを有し、中間部が被固定材に接触するように形成されている。したがって、被固定材が受け部の定位置からずれたり、あるいは被固定材の断面寸法にばらつきがあったりしても、屈曲部によって生じる締付リンクの余長がそれらを吸収して、安定した締付力を発揮する。また、レバーを締付側に回動するために要する力のばらつきも小さくなり、締付操作が容易になる。
【図面の簡単な説明】
【図１】本発明に係る止金具が使用される昇降式移動足場の概略構造図である。
【図２】前記昇降式移動足場における止金具の使用状態を示す部分斜視図である。
【図３】従来の構成に係る止金具の側面図である。
【図４】従来の構成に係る止金具の問題点を示す側面図である。
【図５】本発明に係る止金具の側面図である。
【図６】本発明に係る止金具の追随作用を示す側面図である。
【符号の説明】
１０    基体
１６    受け部
１７    掛止具
２０    止金具
２１    基部
２２    レバー
２４    締付リンク
２４ａ  中間部
２４ｂ  屈曲部
２４ｃ  屈曲部
３      被固定材
３ａ    材芯
【図１】
0003954417.tif 000002
【図２】
0003954417.tif 000003
【図３】
0003954417.tif 000004
【図４】
0003954417.tif 000005
【図５】
0003954417.tif 000006
【図６】
0003954417.tif 000007